(57)【要約】      （修正有）【課題】美容室や理容室及び医療、介護等における洗髪などの作業において、腰を曲げた状態での腰への負担が低減され、腰痛になりにくい足置き装置を提供する。【解決手段】床面に載置する基台２と、前記基台の後端にヒンジ３を介して揺動自在に連結された足乗せ台４と、前記基台の先端において前記基台から離れる方向に前記足乗せ台を付勢するばね体５とにより足置き装置１を構成する。足乗せ台を踏み込んだ後、バネ体から返ってくる反動を利用できるので腰への負担が低減される。【選択図】図１
0003184152.tif 000002
【実用新案登録請求の範囲】
【請求項１】
床面に載置する基台と、前記基台の後端にヒンジを介して揺動自在に連結された足乗せ台と、前記基台の先端において前記基台から離れる方向に前記足乗せ台を付勢するばね体とよりなり、前記ばね体は、前記基台の先端における両端に少なくとも設けられていることを特徴とする足乗せ装置。     
【請求項２】
ばね体は、前記基台の先端における両端に少なくとも設けられているとともに、前記ばね体を結ぶ線上にも着脱自在に設けられている請求項１に記載の足乗せ装置。  
【請求項３】
足乗せ装置は、床面に載置する半ドーナツ形状の基台と、基台の後端に一対のヒンジを介して揺動自在に連結され、前記基台と略同一大の半ドーナツ形状の足乗せ台と、基台２１の先端において基台から離れる方向に足乗せ台を付勢するばね体とよりなっている請求項１に記載の足乗せ装置。  
【考案の詳細な説明】
【技術分野】
【０００１】
本考案は、美容室や理容室及び医療、介護等における洗髪などの作業時に使用する足置き装置に関するものである。          
【背景技術】
【０００２】
従来、美容室や理容室及び医療、介護等における洗髪などの作業は、立った状態での作業で、腰を曲げた状態での作業が多く、腰に負担がかかり、腰痛になりやすいという問題があり、特に、身長の高い美容師や理容師になるほど腰を大きく曲げないと洗髪などの作業ができず、腰痛になりやすいという問題があった。
【０００３】
この問題点を解消するために、腰痛用のコルセットを巻いて洗髪などの作業をすることも考えられるが、作業時、背筋が真直ぐになりすぎてしまい洗髪などの作業がかえってしにくいという問題点があった。
【先行技術文献】
【特許文献】
【０００４】
【特許文献１】特開２００２−２２３８９２号公報     上記問題点を解消すべく、特許文献１に示すようなフットレストが提案されたが、このものにあっては、足置き台が基台に対し固定されており、作業者が体重をかけても足置き台が動かないので、腰痛になりやすいという問題点は解消しなかった。
【考案の概要】
【考案が解決しようとする課題】
【０００５】
本考案は、上記問題点を解消するためになされたものであり、美容室や理容室及び医療、介護等における洗髪などの作業において、腰を曲げた状態での腰への負担が低減され、腰痛になりにくい足置き装置を提供することにある。
【課題を解決するための手段】
【０００６】
上記課題を解決するため、本考案の足置き装置は、床面に載置する基台と、前記基台の後端にヒンジを介して揺動自在に連結された足乗せ台と、前記基台の先端において前記基台から離れる方向に前記足乗せ台を付勢するばね体とよりなることを特徴とする。
また、ばね体は、前記基台の先端における両端に少なくとも設けられていることを特徴とする。
また、足乗せ装置は、床面に載置する半ドーナツ形状の基台と、基台の後端に一対のヒンジを介して揺動自在に連結され、前記基台と略同一大の半ドーナツ形状の足乗せ台と、基台の先端において基台から離れる方向に足乗せ台を付勢するばね体とよりなっていることを特徴とする。
【考案の効果】
【０００７】
本考案に係る足置き装置は、床面に載置する基台と、前記基台の後端にヒンジを介して揺動自在に連結された足乗せ台と、前記基台の先端において前記基台から離れる方向に前記足乗せ台を付勢するばね体とよりなることを特徴とするものであるから、美容室や理容室及び医療、介護等における洗髪などの作業において、踏み込んだ後、バネ体から返ってくる反動を利用することができ、腰を曲げた状態での腰への負担が低減され、腰痛になりにくいという効果がある。
また、ばね体は、前記基台の先端における両端に少なくとも設けられているものは、足乗せ台の動作が安定し、使い勝手が良いという効果がある。
また、ばね体は、前記基台の先端における両端に少なくとも設けられているとともに、前記ばね体を結ぶ線上にも着脱自在に設けられているものは、ばね体の強さを変えることが可能となり、体重の異なる作業者であっても適切なばね力での使用が可能となり、使い勝手が良いという効果がある。
【図面の簡単な説明】
【０００８】
【図１】図１は本考案の第１の実施例の足乗せ装置の断面図である。
【図２】図２は同上の足乗せ装置から足乗せ台を外した平面図である。
【図３】図３は本考案の第２の実施例の足乗せ装置の断面図である。
【図４】図４は同上の足乗せ装置から足乗せ台を外した平面図である。
【図５】図５は本考案の第３の実施例の足乗せ装置の断面図である。
【図６】図６は同上の足乗せ装置から足乗せ台を外した平面図である。
【図７】図７は本考案の第４の実施例の足乗せ装置の断面図である。
【図８】図８は同上の足乗せ装置から足乗せ台を外した平面図である。
【考案を実施するための形態】
【０００９】
以下、本考案を実施する形態について図面を参照して説明する。
【００１０】
図１及び図２は、本考案の第１の実施例を示すものであり、足乗せ装置１は、床面に載置する長方形状の基台２と、基台２の後端に一対のヒンジ３を介して揺動自在に連結された長方形状の足乗せ台４と、基台２の先端において基台２から離れる方向に足乗せ台４を付勢するばね体５とよりなっている。ばね体５は、基台２の先端における両端に着脱自在に設けられているとともに、ばね体５を結ぶ線上にも着脱自在に設けられている。基台２の高さが作業者にとって低い場合は、高さを高くするためのプレート（図示せず）を基台２の下に重ねることができるようにしても構わないものである。その場合は、プレートを任意に着脱可能となるよう、基台２の下面に凹部を形成し、基台２の凹部に嵌合する凸部をプレートの上面に形成すればよい。
【００１１】
基台２は、木質材又は合成樹脂で形成されており、底面には滑らないように凹凸が付けられたり、ゴムのシートからなる滑り防止部６が設けられている。滑り防止部６は、ゴムに限定されるものでは無く、木質材やコンクリート、タイルの床面であっても滑りにくい素材でできているものであり、耐震用にも使用される粘着性を有し、取り外しができるとともに洗うことにより何度でも使用ができるものが好ましいものである。
【００１２】
ヒンジ３は、実施例として、一般に板材同士の連結に使用される金属製の平蝶番を用いたが、ステープラーのように、基台２と足乗せ台４とのどちらか一方に支軸を架設し、その支軸に他方の部材を回動自在に取り付けるようにしたものでも構わないものである。
【００１３】
足乗せ台４は、木質材又は合成樹脂で平板状に形成されており、上面には滑らないように凹凸が付けられたり、ゴムのシートからなる滑り防止部７が設けられている。
【００１４】
ばね体５は、圧縮コイルばねで構成されており、基台２に設けられた凹所８に着脱自在の挿入されている。凹所８は５箇所設けたが、５箇所に限定されるものでは無く、少なくとも２本以上からなる構成で、左右対称に配列されている。また、凹所８は、複数個半径方向に連接させており、スペースが狭くてもばね体５を配設できるようにしている。実施例は、凹所８を３個連接して形成しており、選択して使用できるようにしているが、３個でなくても構わないものである。ばね体５は、実施例を圧縮コイルばねで構成したが、円錐コイルばねであっても構わないものである。また、ヒンジ３にねじりばねを設けても構わないものである。
【００１５】
基台２にはヒンジ３の連結部９と、凹所８が形成された傾斜部１０とで構成されている。ヒンジ３の連結部９と傾斜部１０との間には段部１１が形成されており、スムーズに足乗せ台４が揺動するとともに、軽量化が図られている。傾斜部１０及び凹所８の底面は、足乗せ台４の裏面のばね体５が当接する面と略平行に形成されており、ばね体５をスムーズに押圧できるようになっている。また、凹所８内においてヒンジ３に近い位置にばね体５を設けることで足乗せ台４の傾斜角度を大きくすることができ、足の載せ角度を調整することができるようになっている。
【００１６】
基台２の先端と足乗せ台４の先端との間には蛇腹状のカバー１２が設けられており、ごみや埃が基台２の先端と足乗せ台４の間に入らないようにしているが、基台２の両端と足乗せ台４の両端との間にも蛇腹状のカバーを設けても構わないものである。
【００１７】
足乗せ装置１の使用方法について説明すると、足乗せ台４の先端側を爪先側にして、足乗せ台４に爪先から略２／３以下を目安に足乗せ台４に乗せて使用するのが、最も安定し、最も楽な姿勢で使用することができる。足乗せ台４に足全体を載せると、足は足乗せ台４から離れ易くなり、足乗せ装置１は不安定になってひっくり返る恐れがあるとともに、再度、足を足乗せ台４に載せる際、目視する必要もできてきて、作業効率が低下するおそれがある。
【００１８】
ばね体５は、５箇所の凹所８に全て取付ける５本使用パターン、真ん中の凹所８を除き両端の凹所８の２箇所ずつに取り付ける４本使用パターン、両端の凹所８と真中の凹所８の３本に取り付ける３本使用パターン、両端凹所８の２箇所に取り付ける２本使用パターン、両端凹所８と真ん中凹所８を除く２本使用パターン、両端凹所８を除く３本パターンの６パターンの使用が可能であり、全てのばね体５を同一長さ同一強度にしても６パターンの調整が出来るようになっており、作業者の体重に応じて選択することが可能であるが、この６パターンでも使い勝手が悪いのであれば、体重に応じてばね体５の本数や長さや強度を変えることも可能である。
【００１９】
又、凹所８内にラバー状のパッキンみたいな作りでスプリングの底上げが出来る脱着可能の下敷きを敷く事により高さ調整を更に出来るようにしても構わないものである。
【００２０】
種々、実験を行ったが、体重６０ｋｇの人が全体重乗せることにより、もとの長さ６０ｍｍのものが最大で３０ｍｍほど沈む程度のばね力が使い勝手も良いものである。実際のシャンプー作業において、片足に全体重を乗せて負荷をかける工程は一つも無く、足乗せ装置１は、あくまで片足を乗せて腰負担を減らす補助具であり、美容師側の使用感もさまざまであり、体重や足の大きさ、靴の高さ等を考えると、オーダーメードのようにばね体５の強度や長さに変化を付けるのが望ましいものではある。
【００２１】
使用しないばね体５の納庫場所は、基台２と足乗せ台４との間形成される空間１３に沿わせて収納することにより、足乗せ台４を踏み込んだ時も、足乗せ台４に干渉せず、使い勝手の良い使用が可能となる。
【００２２】
図３及び図４は、本考案の第２の実施例を示すものであり、基台２にはヒンジ３の連結部９と、凹所８が形成された平坦部１４とで構成されており、ヒンジ３の連結部９と平坦部１４との間には段部１１が形成されており、スムーズに足乗せ台４が揺動するとともに、軽量化が図られている。凹所８内においてヒンジ３に近い位置にばね体５を設けることで足乗せ台４の傾斜角度を大きくすることができ、足の載せ角度を調整することができるようになっている。
【００２３】
図５及び図６は、本考案の第３の実施例を示すものであり、足乗せ装置１は、床面に載置する半ドーナツ形状の基台２１と、基台２１の後端に一対のヒンジ３を介して揺動自在に連結され、基台２１と略同一の大きさの半ドーナツ形状の足乗せ台２２と、基台２１の先端において基台２１から離れる方向に足乗せ台２２を付勢するばね体５とよりなっている。ばね体５は、基台２１の先端における両端に着脱自在に設けられているとともに、基台２１を等角度で分割した線上に形成した凹所２４にばね体５を着脱自在に設けられている。基台２１及び足乗せ台２２を半ドーナツ形状にしたものは、足の踵を半円形の切欠き部内に位置させて作業をすることができ、踵を中心にして体を移動させることができるので、作業がし易いという効果があるとともに、床面に踵を位置させて一定のばね力を得ながら作業ができ作業がし易いという効果があり、更に、踵の高い靴であっても安定した作業ができるという効果がある。
【００２４】
基台２１には凹所２４が形成された傾斜部２３が形成されている。傾斜部２３及び凹所２４の底面は、足乗せ台４の裏面のばね体５が当接する面と略平行に形成されており、ばね体５をスムーズに押圧できるようになっている。また、凹所２４内においてヒンジ３に近い位置にばね体５を設けることで足乗せ台２２の傾斜角度を大きくすることができ、足の載せ角度を調整することができるようになっている。基台２１の高さが作業者にとって低い場合は、高さを高くするためのプレート（図示せず）を基台２１の下に重ねることができるようにしてもかまわないものである。その場合は、プレートを任意に着脱可能となるよう、基台２１の下面に凹部を形成し、基台２１の凹部に嵌合する凸部をプレートの上面に形成すればよい。
【００２５】
ばね体５は、圧縮コイルばねで構成されており、基台２１に設けられた凹所２４に着脱自在の挿入されている。凹所２４は５箇所設けたが、５箇所に限定されるものでは無く、奇数本が望ましいものであり、左右対称に配列されている。また、凹所２４は、複数個連接させており、スペースが狭くても配設できるようにしている。実施例は、凹所２４を３個連接して選択して使用できるようにしているが、３個でなくても構わないものである。ばね体５は、実施例を圧縮コイルばねで構成したが、円錐コイルばねであっても構わないものである。また、ヒンジ３にねじりばねを設けても構わないものである。
【００２６】
又、凹所２４内にラバー状のパッキンみたいな作りでスプリングの底上げが出来る脱着可能の下敷きを敷く事により高さ調整を更に出来るようにしても構わないものである。
【００２７】
図７及び図８は、本考案の第４の実施例を示すものであり、足乗せ装置１は、床面に載置する半ドーナツ形状の基台２１と、基台２１の後端に一対のヒンジ３を介して揺動自在に連結され、基台２１と略同一の大きさの半ドーナツ形状の足乗せ台２２と、基台２１の先端において基台２１から離れる方向に足乗せ台２２を付勢するばね体５とよりなっている。ばね体５は、基台２１の先端における両端に着脱自在に設けられているとともに、基台２１を等角度で分割した線上に形成した凹所２４にばね体５を着脱自在に設けられている。基台２１及び足乗せ台２２を半ドーナツ形状にしたものは、足の踵を半円形の切欠き部内に位置させて作業をすることができ、踵を中心にして体を移動させることができるので、作業がし易いという効果があるとともに、床面に踵を位置させて一定のばね力を得ながら作業ができ作業がし易いという効果があり、更に、踵の高い靴であっても安定した作業ができるという効果がある。
【符号の説明】
【００２８】
１          足乗せ装置
２、２１    基台
３          ヒンジ
４、２２    足乗せ台
５          ばね体
８  ２４    凹所
【図１】
0003184152.tif 000003
【図２】
0003184152.tif 000004
【図３】
0003184152.tif 000005
【図４】
0003184152.tif 000006
【図５】
0003184152.tif 000007
【図６】
0003184152.tif 000008
【図７】
0003184152.tif 000009
【図８】
0003184152.tif 000010